(57)【要約】      （修正有）【課題】ビス等を使用することなく、電磁波を安定してシールドすることができる電子装置を提供する。【解決手段】電子装置の一例としての画像形成装置は、上カバー１２を、上カバー１２に対して垂直に交わる方向に配置された下カバーの仕切り板１５とを接続する。上カバー１２と仕切り板１５とはそれぞれの内面およびその端面に導電層を有している。上カバー１２は仕切り板１５の方向に突出し、矢印方向に延びる突出部２２を有する突起部２１を有し、仕切り板１５は、突起部２１を受け入れる穴部２５を有し、穴部２５の端部には導電性部材２６が貼り付けられており、突起部２１を仕切り板１５の穴部２５へ挿入し、図中矢印方向に移動することによって突出部２２が側面が穴部２５の導電性部材２６と接触するように上カバー１２と仕切り板１５とが接続される。【選択図】図２
2007250562.tif 000002
【特許請求の範囲】
【請求項１】
第１部材と、前記第１部材に対して垂直に交わる方向に配置された第２部材との接続部分を有する電子装置であって、
第１および第２部材はそれぞれ、その少なくとも片方の面およびその端面に導電層を有し、
前記第１部材は、第１の方向に突出し、第１の方向に垂直に交わる第２の方向に延在する突起部を有し、
前記第２部材は、前記第１方向で前記突起部を受け入れる穴部を有し、
前記突起部は、突起部の前記第２方向の端部において前記第２方向に延びる突出部を有し、それによって前記突出部と前記第１部材の前記第１方向の端部との間に前記第２方向に延びる溝が形成され、前記突出部が前記第２方向へ移動されることにより前記突出部が前記穴部に係合するものであって、
前記穴部の端部に導電性部材を突出させ貼り付けたことを特徴とする電子装置。
【請求項２】
前記電子装置は画像形成装置である、請求項１に記載の電子装置。
【発明の詳細な説明】
【技術分野】
【０００１】
この発明は、電子写真複写機やファクシミリ装置等の電子装置に関し、特に、電磁波のシールドができる電子装置に関する。
【背景技術】
【０００２】
電子装置の一例としての画像形成装置は、画像読取り装置における原稿の走査情報をデジタル信号として出力し、画像出力装置においてデジタル信号を用いて感光体ドラムに画像の形成を行う。画像形成装置においては、装置内部に存在する電子回路等から電磁波が漏れ出すような問題を解消することが望まれている。
【０００３】
電子回路等の装置から、電磁波が漏洩することを防止するために、従来より、装置のフレームや外装カバーを金属材料で構成し、その外装カバー等の部材を接地するような手段を用いている。また、互いに垂直方向に位置する導電体の外装カバーが２枚あった場合に、ビス等を使用して相互に固定していた。
【０００４】
従来の画像形成装置において、画像読取り装置と画像出力装置とのフレームを別体に設けて、相互に振動を遮断するとともに外部への、電磁波に対するシールドを行う構成が、たとえば、特開平８−１７１３２６号公報（特許文献１）に開示されている。
【０００５】
図３は、特開平８−１７１３２６号公報に開示された画像形成装置の要部断面図である。図３を参照して電子写真複写機の上部フレーム１０２には走査装置１０５を配置し、下部フレーム１０３にはプロセス装置を配置するが、上下のフレームの間には弾性脚部材１１１、１１２と電気的な接続手段１１３、１１５を配置している。また、上部フレーム１０２に固定するトップカバー１２０と、下部フレーム１０３に配置するカバー部材１２５、１２７との接続部では、隙間を形成するとともに、その隙間に導電性を有するガスケット１１６ａ、１１６ｂを配置して、相互に振動を伝達せずに、電磁波に対するシールド性能を有する接続部を構成している。
【特許文献１】特開平８−１７１３２６号公報（段落番号０００８、図２）
【発明の開示】
【発明が解決しようとする課題】
【０００６】
従来の、電子装置の一例としての画像形成装置は上記のように構成されていた。外装カバーは装置の内面側は導電性であるが、外面側は塗装などにより非導電であることが多い。互いに垂直方向に位置する２枚の外装カバーを接続する場合、面接触が不可能であるため端面接触することになるが、この場合低周波数領域において、電磁波ノイズが不安定となり、ＥＭＩ（Electromagnetic Interference）規制法をクリアするのが困難になる場合がある。
【０００７】
この発明は、上記のような問題点を解消するためになされたもので、ビス等を使用することなく、電磁波を安定してシールドすることができる電子装置を提供することを目的とする。
【課題を解決するための手段】
【０００８】
この発明にかかる第１部材と、第１部材に対して垂直に交わる方向に配置された第２部材との接続部分を有する電子装置においては、第１および第２部材はそれぞれ、その少なくとも片方の面およびその端面に導電層を有し、第１部材は、第１の方向に突出し、第１の方向に垂直に交わる第２の方向に延在する突起部を有し、第２部材は、第１方向で突起部を受け入れる穴部を有し、突起部は、突起部の前記第２方向の端部において第２方向に延びる突出部を有し、それによって突出部と第１部材の第１方向の端部との間に第２方向に延びる溝が形成され、突出部が第２方向へ移動されることにより突出部が穴部に係合するものであって、穴部の端部に導電性部材を突出させ貼り付けたことを特徴とする電子装置である。
【０００９】
また、電子装置は画像形成装置であってもよい。
【発明の効果】
【００１０】
この発明に係る電子装置においては、接続される第１および第２部材はそれぞれ、その少なくとも片方の面は導電層を有し、第１部材は、第１の方向に突出し、第１の方向に垂直に交わる第２の方向に延在する突起部を有し、第２部材は、第１方向で突起部を受け入れる穴部を有し、突起部は、突起部の前記第２方向の端部において第２方向に延びる突出部を有し、それによって突出部と第１部材の第１方向の端部との間に第２方向に延びる溝が形成され、突出部が第２方向へ移動されることにより突出部が穴部に係合するものであって、穴部の端部に導電性部材を突出させ貼り付けたものであり、第１部材の突出部が第２方向へ移動されることにより穴部の導電性部材が挟み込まれることにより第１部材の導電層と第２部材の導電層とが接続部分で接続される。
【００１１】
第１部材の導電層と第２部材の導電層とが接続部分で接続されるため、ビス等を使用することなく、電磁波を安定してシールドすることができる電子装置を提供できる。
【発明を実施するための最良の形態】
【００１２】
以下、この発明の実施の形態を図面を参照して説明する。図１は、この発明の一実施の形態に係る電子装置の一例としての画像形成装置におけるカバーの取付け状態を説明するための、画像形成装置の外観を示す模式図である。図１（Ａ）は画像形成装置の背面の斜視図である。図１（Ａ）を参照して、画像形成装置１０は、上部に設けられた自動原稿送り装置１１と、自動原稿送り装置１１の下部に設けられた図示の無い原稿走査装置と、原稿走査装置の下部に、仕切り板１５を介して設けられた図示のない印字装置とを含む。図１（Ａ）において、図示の無い原稿走査装置の部分は開口１４となっており、図示の無い印字装置は下カバー１３で覆われている。また、ここでは説明のために、仕切り板１５は下カバー１３と一体的に接続され、上カバー１２と開口部１４との接続部以外は電気的に接続されて、接地されており、この接続部以外には、電磁波の漏洩はないものとする。
【００１３】
図１（Ｂ）は図１（Ａ）の原稿走査装置を覆う上カバー１２の正面図であり、図１（Ｃ）は図１（Ａ）の原稿走査装置を図１（Ｂ）に示した上カバー１２で覆った状態を示す図である。図１を参照して、上カバー１２の下部には仕切り板１５に設けられた穴部２５ａ、２５ｂ、２５ｃに係合するための３箇所の突起部２１ａ、２１ｂ、２１ｃが設けられている。上カバー１２を開口１４に取付けるときは、この３箇所の突起部２１ａ、２１ｂ、２１ｃを仕切り板１５の対応する穴部２５ａ、２５ｂ、２５ｃに係合させ、上カバー１２の上部の３箇所を自動原稿送り装置１１のカバーに設けられた図示のないネジ穴と上カバー１２の穴部２５とによりネジを用いて固定する。その結果、図１（Ｃ）に示すように画像形成装置１０の全体がカバーされる。
【００１４】
なお、上カバー１２、仕切り板１５および下カバー１３は導電性のある材質で構成されるか、プラスチック材料の場合は、少なくとも、上カバー１２の裏面、仕切り板１５の下部および下カバー１３の内面およびその端面は導電性の塗料を塗布して導電層を形成している。また、突起部２１の仕切り板１５の内面またはその穴部２５と接触する可能性のある部分（突起部２１の図中奥行き方向の幅方向の部分）も同様に少なくとも導電性の層を有している。また、穴部２５ａ、２５ｂ、２５ｃには、後述する導電性部材が取り付けられている。その結果、取付けられる上カバー１２と下カバー１３とは電気的に接続され、電磁波の漏洩が防止される。
【００１５】
図２は、図１で示した上カバー１２の突起部２１と仕切り板１５に設けられた穴部２５との取付け状態の詳細を示す図である。図２（Ａ）は、上カバー１２の取付け方法を示す斜視図であり、図２（Ｂ）は突起部２１（図２（Ａ）で○印で囲んだ部分）の正面図であり、図２（Ｃ）は穴部２５（図２（Ａ）で○印で囲んだ部分）の平面図であり、図２（Ｄ）は突起部２１を穴部２５に取り付けた状態を示す断面図である。図２を参照して、上カバー１２を仕切り板１５に取付けるときは、上カバー１２の下部に設けられた突起部２１を仕切り板１５上方からの穴部２５の方向（第１の方向）に挿入し、その後図中に矢印で示す方向（第２の方向）に移動させることによって上カバー１２を仕切り板１５とを接続する。
【００１６】
図２（Ｂ）に示すように、突起部２１は所定の厚みｔ１を有し、突起部２１の突出方向に直交する方向（第２方向）に突出する突出部２２を有し、それによって、上カバー１２の下端部と突出部２２との間に溝２３が形成されている。突出部２２の第２方向の長さはＬｔとなっている。図２（Ｃ）に示すように、仕切り板１５の穴部２５は、第２の方向に長さＬａ、穴部２５の幅方向（第３方向）に幅Ｗａの長穴となっており、突出部２３の溝２３と勘合する一方の端面に厚さｔ２の導電性部材２６が貼り付けられている。この導電性部材２６の幅Ｗｂは穴部２５の幅Ｗａよりも小さくなっており、また、第２の方向の長さＬｂのうち長さＬｃだけ穴部２５に突出している。また、Ｌａから厚さｔ２を引いた長さはＬｔよりも大きく、Ｗａはｔ1よりも大きい。導電性部材２６は、弾性体で柔軟性のある導電性の部材であればよい。また、導電性部材２６は、その外周が導電性で薄い弾性体からなり、その内部が非導電性の弾性体でもよい。
【００１７】
突起部２１と穴部２５の寸法を上記のように設定し図２（Ｄ）に示すように、上カバー１２を仕切り板１５に取り付けると、まず、突起部２１が穴部２５に第１の方向より差し込まれる（図２（ｂ）の点線で示す）。導電性部材２６は、突起部２１により突出部（長さＬｃの部分）が押されることにより穴部２５に挿入され、次に、突起部２１が図中矢印方向に移動されることにより、穴部２５に挿入された導電性部材２６が溝２３に巻き込まれる。従って、溝部２３と上カバー１２との間に導電性部材２６が密着することになる。
【００１８】
このように、従来のように、ビスを用いることなく上カバーと下カバーのような２枚の接続部材を導電性部材を接触させた状態で接続できるため、確実に電気的な導通を得ることができ電磁波をシールドできるとともに、上カバー１２を容易に仕切り板１５の凹部に挿入でき、下カバー１３と一体化が可能になる。
【００１９】
上記実施の形態においては、突起部に突出部を設けた場合について説明したが、これに限らず、突出部がなくて、突起部のみをもうけ、それを穴部に挿入して相互に強固に接続されるようにすれば同様の効果が得られる。
【００２０】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２１】
【図１】この発明の一実施の形態に係る画像形成装置の開口部を示す概略図である。
【図２】上カバーの係合部の拡大斜視図である。
【図３】従来の画像形成装置における電磁波漏洩対策を施した構造を説明するための図である。
【符号の説明】
【００２２】
１０  画像形成装置
１１  自動原稿送り装置
１２  上カバー
１３  下カバー
１５  仕切り板、
２１  突起部
２２  突出部
２３  溝
２５  穴部
２６  導電性部材
【図１】
2007250562.tif 000003
【図２】
2007250562.tif 000004
【図３】
2007250562.tif 000005